【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
管（１３）の管径を拡大するよう加工する拡管金型において、
金型ベース（３１）と、
該金型ベース（３１）に固定されて軸方向に伸びる芯金型（３２）と、
前記芯金型（３２）の先端に固着された先端金型（３３）と、
前記金型ベース（３１）と前記先端金型（３３）との間にて、前記芯金型の外周に嵌合され且つ外径寸法が前記先端金型（３３）側から前記金型ベース側へ向けて徐々に大きくなる所定外形寸法（Ｄ１〜Ｄ３）の外周テーパ部（３４ａ、５１ａ、５３ａ）を有する外周リング金型（３４、５１、５３）と、を備え、
前記管（１３）の内径部が、少なくとも前記外周リング金型（３４、５１、５３）の外周テーパ部（３４ａ、５１ａ、５３ａ）に押込み方向に押し当てられたときに、前記管（１３）の管径が拡大加工される、拡管金型。
【請求項２】
請求項１に記載の拡管金型において、
前記金型ベース（３１）、芯金型（３２）及び先端金型（３３）はボルト（３６〜３８）により互いに一体固定されている、拡管金型。
【請求項３】
請求項１又は２に記載の拡管金型において、
前記外周リング金型（３４、５１、５３）は、軸方向に積重された二以上の部分外周リング金型（３４Ａ〜３４Ｅ、５１Ａ〜５１Ｅ、５３Ａ〜５３Ｅ）から構成された、拡管金型。
【請求項４】
請求項１乃至３の何れかに記載の拡管金型において、
前記先端金型（３３）は、その外周に外径寸法が先端側から前記金型ベース側へ向けて徐々に大きくなる外周テーパ部（３３ａ２、３３ｂ２、３３ｃ）を有し、前記管（１３）の内径部が最初に該外周テーパ部（３３ａ２、３３ｂ２、３３ｃ）により拡管加工される、拡管金型。
【請求項５】
請求項４に記載の拡管金型において、
前記先端金型（３３Ａ〜３３Ｃ）の外周テーパ部（３３ａ２、３３ｂ２、３３ｃ）と、前記前記外周リング金型（３４、５１、５３）の外周テーパ部（３４ａ、５１ａ、５３ａ）とは、テーパ角度値が互いに異なる、拡管金型。
【請求項６】
請求項１乃至５の何れかに記載の拡管金型において、
前記先端金型（３３Ａ、３３Ｂ）はその先端側に管（１３）を案内するガイド部（３３ａ１、３３ｂ１）を有する、拡管金型。
【請求項７】
請求項１乃至６の何れかに記載の拡管金型において、
少なくとも前記先端金型（３３）及び外周リング金型（３４、５１、５３）は高い硬度を有する材料を使用するか、又は材料の表面を硬化処理又は内部を硬化処理のうちの少なくとも表面硬化処理が行われて形成されている、拡管金型。
【請求項８】
請求項７に記載の拡管金型において、
前記先端金型（３３）及び外周リング金型（３４、５１、５３）は、前記材料の表面を硬化処理して形成されている、拡管金型。
【請求項９】
請求項７又は８に記載の拡管金型において、
前記表面硬化処理は、低温ＴＩＣコーティング処理である、拡管金型。
【請求項１０】
請求項１乃至９の何れかに記載の拡管金型が、管を複数段階で拡管するために複数組分（１５Ａ〜１５Ｃ）設けられ、
各組（１５Ａ〜１５Ｃ）の前記外周リング金型（３４、５１、５３）の外径寸法（Ｄ１〜Ｄ３）が、所定の寸法関係（Ｄ１＜Ｄ２＜Ｄ３）を満たすように異なり、
前記管（１３）が複数組の拡管金型（１５Ａ〜１５Ｃ）により順次拡管加工されてその内径寸法が順次拡大される、拡管金型セット。
【請求項１１】
請求項１乃至１０の何れかに記載の少なくとも一つの前記拡管金型（１５Ａ〜１５Ｃ）と、
前記金型ベース（３１）に隣接して、前記外周リング金型（３４、５１、５３）の外周近傍に設けられた離型部材（１６）とを備える金型装置であって、該離型部材（１６）により、拡管加工を終了した管（１３）を、前記押込み方向とは逆方向へ押し戻して前記外周リング金型（３４、５１、５３）及び先端金型（３３）から離間させる、拡管金型装置。
【請求項１２】
請求項１１に記載の拡管金型装置であって、
前記金型ベース（３１）又はこれと一体の部材に取付けた第１の検出部材（４４）と、前記離型部材（１６）に取り付けた第２の検出部材（４５）とからなる検出装置（４３）を備え、前記離型部材（１６）が拡管加工される前記管（１３）により押圧されて移動されたときに、該検出装置（４３）により管（１３）の拡管加工終了を検出する、拡管金型装置。
【請求項１３】
管（１３）の管径を縮小するよう加工する縮管金型において、
金型ベース（３１Ａ）と、
該金型ベース（３１Ａ）に固定されて軸方向に伸びる外周筒形金型（６１）と、
前記外周筒形金型（６１）の先端に固着された先端筒形金型（６２）と、
前記金型ベース（３１Ａ）と前記先端筒形金型（６２）との間にて、前記外周筒形金型（６１）の内周に嵌合され且つ内径寸法が前記先端筒形金型（６２）側から前記金型ベース側へ向けて徐々に小さくなる所定内径寸法（ｄ１〜ｄ３）の内周テーパ部（６３ａ、７８ａ、７９ａ）を有する内周リング金型（６３、７８、７９）と、を備え、
前記管（１３）の外径部が、少なくとも前記内周リング金型（６３、７８、７９）の内周テーパ部（６３ａ、７８ａ、７９ａ）に対して押込み方向に押し当てられたときに、前記管（１３）の管径が縮小加工される、縮管金型。
【請求項１４】
請求項１３に記載の縮管金型において、
前記金型ベース（３１Ａ）、外周筒形金型（６１）及び先端筒形金型（６２）はボルト（６５〜６７）により互いに一体固定されている、縮管金型。
【請求項１５】
請求項１３又は１４に記載の縮管金型において、
前記内周リング金型（６３）は、軸方向に積重された二以上の部分内周リング金型（６３Ａ〜６３Ｄ、７８Ａ〜７８Ｄ、７９Ａ〜７９Ｄ）から構成された、縮管金型。
【請求項１６】
請求項１３乃至１５の何れかに記載の縮管金型において、
前記先端筒形金型（６２）は、その内周に内径寸法が先端側から前記金型ベース側へ向けて徐々に小さくなる内周テーパ部（６２ａ２、６２ｂ２、６２ｃ）を有し、前記管（１３）の外径部が最初に該内周テーパ部（６２ａ２、６２ｂ２、６２ｃ）により縮管加工される、縮管金型。
【請求項１７】
請求項１６に記載の拡管金型において、
前記先端筒形金型（６２）の内周テーパ部（６２ａ２、６２ｂ２、６２ｃ）と、前記内周リング金型（６３、７８、７９）の内周テーパ部（６３ａ、７８ａ、７９ａ）とは、テーパ角度値が互いに異なる、拡管金型。
【請求項１８】
請求項１３乃至１７の何れかに記載の縮管金型において、
前記先端金型（６２）はその先端側に管（１３）を案内するガイド部（６２ａ１、６２ｂ１）を有する、縮管金型。
【請求項１９】
請求項１３乃至１８の何れかに記載の拡管金型において、
少なくとも前記先端金型（３３）及び外周リング金型（３４、５１、５３）は高い硬度を有する材料を使用するか、又は材料の表面を硬化処理又は内部を硬化処理のうちの少なくとも表面硬化処理が行われて形成されている、縮管金型。
【請求項２０】
請求項１９に記載の拡管金型において、
前記先端金型（３３）及び外周リング金型（３４、５１、５３）は、前記材料の表面を硬化処理して形成されている、縮管金型。
【請求項２１】
請求項１９又は２０に記載の拡管金型において、
前記表面硬化処理は、低温ＴＩＣコーティング処理である、縮管金型。
【請求項２２】
請求項１３乃至２０の何れかに記載の縮管金型が、管を複数段階で縮管するために複数組分（２１Ａ〜２１Ｃ）設けられ、
各組（２１Ａ〜２１Ｃ）の前記内周リング金型（６３、７８、７９）の内径寸法（ｄ１〜ｄ３）が、所定の寸法関係（ｄ１＞ｄ２＞ｄ３）を満たすように異なり、
前記管（１３）が複数組の縮管金型（２１Ａ〜２１Ｃ）により順次縮管加工されてその外径寸法が順次縮小される、縮管金型セット。
【請求項２３】
請求項１３乃至２２の何れかに記載の縮管金型と、
前記金型ベース（３１Ａ）に隣接して、前記内周リング金型（６３、７８、７９）の内周近傍に設けられた離型押圧部材（７３）とを備える金型装置であって、該離型押圧部材（７３）により、縮管加工を終了した管（１３）を前記押込み方向とは逆方向へ押し戻して前記内周リング金型（６３、７８、７９）及び先端金型（６２）から離間させる、縮管金型装置。
【請求項２４】
請求項２３に記載の縮管金型装置であって、
前記金型ベース（３１Ａ）又はこれと一体の部材（７１）に取付けた第１の検出部材（４４）と、前記離型部材（１６）に取り付けた第２の検出部材（４５）とからなる検出装置（４３）を備え、前記離型押圧部材（７３）が縮管加工される前記管（１３）により押圧されて移動されたときに、該検出装置（４３）により管（１３）の縮管加工終了を検出する、縮管金型装置。